(57)【要約】【課題】  カラーフィルタの色調調整をすることなく、白表示補正が施された液晶表示装置を提供する。【解決手段】  カラーフィルタ１１６は、そのＲＧＢの全ての着色層に同一の光を照射したときに表示される色のＣＩＥ色度図におけるｘｙ座標が白表示基準ｘｙ座標からずれており、位相差板１１７ａ、配向膜１１４ａ及び液晶層１１２は、カラーフィルタ１１６のｘｙ座標の白表示基準ｘｙ座標からのずれを補正するように、位相差板１１７ａの遅相軸方向と配向膜１１４ａによる液晶分子配向方向とがなす交差角度、及び、液晶層１１２のレターデーション値が設定されている。【選択図】図１
2005181710.tif 000002
【特許請求の範囲】
【請求項１】
相互に対向するように設けられた前面側基板及び背面側基板と、
上記前面側基板及び背面側基板の間に設けられた液晶層と、
上記前面側基板を覆うように設けられた位相差板と、
上記前面側基板の液晶層側を被覆するように設けられ、上記液晶層の液晶分子を所定方向に配向させるようにラビング処理が施された配向膜と、
上記前面側基板及び背面側基板のいずれかに設けられ、ＲＧＢを一組とする着色層の組み合わせが多数配列して構成されたカラーフィルタと、
を備え、
上記カラーフィルタは、そのＲＧＢの全ての着色層に同一の光を照射したときに表示される色のＣＩＥ色度図におけるｘｙ座標が白表示基準ｘｙ座標からずれており、
上記位相差板、上記配向膜及び上記液晶層は、上記カラーフィルタのｘｙ座標の白表示基準ｘｙ座標からのずれを補正するように、該位相差板の遅相軸方向と該配向膜による液晶分子配向方向とがなす交差角度、及び、該液晶層のレターデーション値が設定されている、液晶表示装置。
【請求項２】
請求項１に記載された液晶表示装置において、
上記背面側基板に、上記前面側基板から入射した外光を上記液晶層及び上記カラーフィルタを介した後に反射して、再び該液晶層及び該カラーフィルタを介した後に該前面側基板から出射させるように設けられた反射部をさらに備え、
上記カラーフィルタは、そのＲＧＢの全ての着色層に同一の光を照射したときに表示される色のＣＩＥ色度図におけるｘｙ座標が、
（０．２８５，０．２８０）、
（０．３２５，０．２３０）、
（０．２９０，０．１６０）、
（０．２５０，０．２１０）、
で囲われる領域に含まれている、液晶表示装置。
【請求項３】
相互に対向するように設けられた前面側基板及び背面側基板と、
上記前面側基板及び背面側基板の間に設けられた液晶層と、
上記前面側基板を覆うように設けられた位相差板と、
上記前面側基板の液晶層側を被覆するように設けられ、上記液晶層の液晶分子を所定方向に配向させるようにラビング処理が施された配向膜と、
上記前面側基板及び背面側基板のいずれかに設けられ、ＲＧＢを一組とする着色層の組み合わせが多数配列して構成されたカラーフィルタと、
を備えた液晶表示装置の製造方法であって、
カラーフィルタのＲＧＢの全ての着色層に同一の光を照射したときに表示される色のＣＩＥ色度図におけるｘｙ座標を検知する色度検知ステップと、
上記色度検知ステップで検知したカラーフィルタのｘｙ座標の白表示基準ｘｙ座標からのずれを補正するように、位相差板の遅相軸方向と配向膜による液晶分子配向方向とがなす交差角度、及び、液晶層のレターデーション値を設定する補正パラメータ設定ステップと、
を備えた、液晶表示装置の製造方法。
【請求項４】
請求項３に記載された液晶表示装置の製造方法において、
上記液晶表示装置は、上記背面側基板に、上記前面側基板から入射した外光を上記液晶層及び上記カラーフィルタを介した後に反射して、再び該液晶層及び該カラーフィルタを介した後に該前面側基板から出射させるように設けられた反射部をさらに備えたものであり、
上記色度検知ステップで検知した上記カラーフィルタのｘｙ座標が、
（０．３１６，０．２４１）、
（０．３２５，０．２３０）、
（０．２９０，０．１６０）、
（０．２８１，０．１７１）、
で囲われる領域に含まれている場合に、
上記補正パラメータ設定ステップで、位相差板の遅相軸方向と配向膜による液晶分子配向方向とがなす交差角度を７０〜８０°、及び、液晶層のレターデーション値を７００〜９００ｎｍの範囲で設定する、液晶表示装置の製造方法。
【請求項５】
請求項３に記載された液晶表示装置の製造方法において、
上記液晶表示装置は、上記背面側基板に、上記前面側基板から入射した外光を上記液晶層及び上記カラーフィルタを介した後に反射して、再び該液晶層及び該カラーフィルタを介した後に該前面側基板から出射させるように設けられた反射部をさらに備えたものであり、
上記色度検知ステップで検知した上記カラーフィルタのｘｙ座標が、
（０．３０８，０．２５２）、
（０．３１６，０．２４１）、
（０．２８１，０．１７１）、
（０．２７３，０．１８２）、
で囲われる領域に含まれている場合に、
上記補正パラメータ設定ステップで、位相差板の遅相軸方向と配向膜による液晶分子配向方向とがなす交差角度を８０〜９０°、及び、液晶層のレターデーション値を７００〜９００ｎｍの範囲で設定する、液晶表示装置の製造方法。
【請求項６】
請求項３に記載された液晶表示装置の製造方法において、
上記液晶表示装置は、上記背面側基板に、上記前面側基板から入射した外光を上記液晶層及び上記カラーフィルタを介した後に反射して、再び該液晶層及び該カラーフィルタを介した後に該前面側基板から出射させるように設けられた反射部をさらに備えたものであり、
上記色度検知ステップで検知した上記カラーフィルタのｘｙ座標が、
（０．２９５，０．２６７）、
（０．３０８，０．２５２）、
（０．２７３，０．１８２）、
（０．２６０，０．１９７）、
で囲われる領域に含まれている場合に、
上記補正パラメータ設定ステップで、位相差板の遅相軸方向と配向膜による液晶分子配向方向とがなす交差角度を９０〜１００°、及び、液晶層のレターデーション値を７００〜９００ｎｍの範囲で設定する、液晶表示装置の製造方法。
【請求項７】
請求項３に記載された液晶表示装置の製造方法において、
上記液晶表示装置は、上記背面側基板に、上記前面側基板から入射した外光を上記液晶層及び上記カラーフィルタを介した後に反射して、再び該液晶層及び該カラーフィルタを介した後に該前面側基板から出射させるように設けられた反射部をさらに備えたものであり、
上記色度検知ステップで検知した上記カラーフィルタのｘｙ座標が、
（０．２８５，０．２８０）、
（０．２９５，０．２６７）、
（０．２６０，０．１９７）、
（０．２５０，０．２１０）、
で囲われる領域に含まれている場合に、
上記補正パラメータ設定ステップで、位相差板の遅相軸方向と配向膜による液晶分子配向方向とがなす交差角度を１００〜１１０°、及び、液晶層のレターデーション値を７００〜９００ｎｍの範囲で設定する、液晶表示装置の製造方法。
【発明の詳細な説明】
【技術分野】
【０００１】
本発明は、液晶表示装置及びその製造方法に関する。
【背景技術】
【０００２】
液晶表示装置は、携帯機器等のディスプレイとして広く利用されている。そして、その特性として、カラー表示、薄型化、軽量化が求められている。
【０００３】
図８は、反射型表示機能と透過型表示機能とを有する半透過反射カラー液晶表示装置の
断面を示す。
【０００４】
この液晶表示装置１００は、液晶表示パネル１１０とその後方に設けられた面光源１２０とで構成されている。液晶表示パネル１１０は、相互に対向するように設けられた前面側基板１１１ａ及び背面側基板１１１ｂと、それらの両基板の間に狭持されるように設けられた液晶層１１２と、を備えている。前面側基板１１１ａの外側には、前面側位相差板１１７ａ及び前面側偏光板１１８ａが順に積層されるように設けられている。前面側基板の内側、つまり液晶層１１２側には、前面側透明電極１１３ａ及び前面側配向膜１１４ａが順に積層されるように設けられている。背面側基板１１１ｂの内側、つまり液晶層１１２側には、半透過反射層１１５、カラーフィルタ１１６、背面側透明電極１１３ｂ及び背面側配向膜１１４ｂが順に積層されるように設けられている。背面側基板１１１ｂの外側には、背面側位相差板１１７ｂ及び背面側偏光板１１８ｂが順に積層されるように設けられている。
【０００５】
この液晶表示装置１００では、背面側から入射して前面側から出射する面光源からの光を液晶層１１２によって変調する透過表示モードと、前面側から入射して半透過反射層１１５で反射した後に再び前面側から出射する外光を液晶層１１２によって変調する反射表示モードと、の両モードでの表示が可能である。ここで、半透過反射層１１５として、アルミ・銀系合金等のメタル反射板にハーフミラー加工を施したものや、スリット付きの反射板等が用いられる。偏光板や位相差板等の設定、液晶層の設定については特許文献１に開示されている。
【特許文献１】特開平１１−２０６７３２号公報
【発明の開示】
【発明が解決しようとする課題】
【０００６】
カラー液晶表示装置では、カラー表示を行うためのカラーフィルタが設けられている。カラーフィルタは、ＲＧＢを一組とする着色層の組み合わせが規則的に多数配列して構成されたものであり、ＲＧＢの光の混合によって様々な色表示ができるようになっている。
【０００７】
ところで、カラー液晶表示装置において、白表示を行うためには、理想的には、ＲＧＢの全ての着色層に同一の光を照射すればよい。
【０００８】
しかしながら、ＲＧＢの全ての着色層に同一の光を照射しても、ＲＧＢの着色層間の層厚さにバラツキや着色層の色素自体の原因に起因して所望の白表示が得られない場合がある。このような場合、従来は、カラーフィルタの色調調整を行っていたが、その色調調整は、材料の検討や製造工程条件の検討等が必要であり、コストも時間も非常にかかるものであった。
【０００９】
本発明は、かかる点に鑑みてなされたものであり、その目的とするところは、カラーフィルタの色調調整をすることなく、白表示補正が施された液晶表示装置及びその製造方法を提供することにある。
【課題を解決するための手段】
【００１０】
上記の目的を達成する本発明の液晶表示装置は、
相互に対向するように設けられた前面側基板及び背面側基板と、
上記前面側基板及び背面側基板の間に設けられた液晶層と、
上記前面側基板を覆うように設けられた位相差板と、
上記前面側基板の液晶層側を被覆するように設けられ、上記液晶層の液晶分子を所定方向に配向させるようにラビング処理が施された配向膜と、
上記前面側基板及び背面側基板のいずれかに設けられ、ＲＧＢを一組とする着色層の組み合わせが多数配列して構成されたカラーフィルタと、
を備え、
上記カラーフィルタは、そのＲＧＢの全ての着色層に同一の光を照射したときに表示される色のＣＩＥ色度図におけるｘｙ座標が白表示基準ｘｙ座標からずれており、
上記位相差板、上記配向膜及び上記液晶層は、上記カラーフィルタのｘｙ座標の白表示基準ｘｙ座標からのずれを補正するように、該位相差板の遅相軸方向と該配向膜による液晶分子配向方向とがなす交差角度、及び、該液晶層のレターデーション値が設定されている。
【００１１】
上記の構成では、カラーフィルタとしては、ＲＧＢの全ての着色層に同一の光を照射したときに表示される色が白からずれているものの、液晶表示装置としては、位相差板の遅相軸方向と配向膜による液晶分子配向方向とがなす交差角度の設定によってＣＩＥ色度図における負の傾斜方向（右下がりの方向）に色度が変化することと、液晶層のレターデーション値の設定によってＣＩＥ色度図における正の傾斜方向（右上がりの方向）に色度が変化することとが組み合わされて、そのずれが補正されている。つまり、カラーフィルタの色調調整をすることなく、白表示補正が施されている。
【００１２】
本発明の液晶表示装置は、上記背面側基板に、上記前面側基板から入射した外光を上記液晶層及び上記カラーフィルタを介した後に反射して、再び該液晶層及び該カラーフィルタを介した後に該前面側基板から出射させるように設けられた反射部をさらに備え、
上記カラーフィルタは、そのＲＧＢの全ての着色層に同一の光を照射したときに表示される色のＣＩＥ色度図におけるｘｙ座標が、
（０．２８５，０．２８０）、
（０．３２５，０．２３０）、
（０．２９０，０．１６０）、
（０．２５０，０．２１０）、
で囲われる領域に含まれているものであってもよい。
【００１３】
上記の構成では、反射型、又は、反射型と透過型とが組み合わされた半透過型の液晶表示装置であって、カラーフィルタが上記条件を満たしているので、コントラスト的に良好な表示性能を得ることができることが実験的に判っている。
【００１４】
上記のような本発明の液晶表示装置の製造方法は、
カラーフィルタのＲＧＢの全ての着色層に同一の光を照射したときに表示される色のＣＩＥ色度図におけるｘｙ座標を検知する色度検知ステップと、
上記色度検知ステップで検知したカラーフィルタのｘｙ座標の白表示基準ｘｙ座標からのずれを補正するように、位相差板の遅相軸方向と配向膜による液晶分子配向方向とがなす交差角度、及び、液晶層のレターデーション値を設定する補正パラメータ設定ステップと、
を備える。
【００１５】
上記のようにすれば、カラーフィルタとしては、ＲＧＢの全ての着色層に同一の光を照射したときに表示される色が白からずれていても、液晶表示装置としては、位相差板の遅相軸方向と配向膜による液晶分子配向方向とがなす交差角度の設定によってＣＩＥ色度図における負の傾斜方向（右下がりの方向）に色度が変化することと、液晶層のレターデーション値の設定によってＣＩＥ色度図における正の傾斜方向（右上がりの方向）に色度が変化することとの組み合わせにより、その色のずれの補正を行うことができる。従って、カラーフィルタの色調調整をすることなく、白表示補正を行うことができる。
【００１６】
本発明の液晶表示装置の製造方法は、
上記液晶表示装置が、上記背面側基板に、上記前面側基板から入射した外光を上記液晶層及び上記カラーフィルタを介した後に反射して、再び該液晶層及び該カラーフィルタを介した後に該前面側基板から出射させるように設けられた反射部をさらに備えたものであるとき、つまり、反射型、又は、反射型と透過型とが組み合わされた半透過型の液晶表示装置であるとき、
上記色度検知ステップで検知した上記カラーフィルタのｘｙ座標が、
（０．３１６，０．２４１）、
（０．３２５，０．２３０）、
（０．２９０，０．１６０）、
（０．２８１，０．１７１）、
で囲われる領域に含まれている場合に、
上記補正パラメータ設定ステップで、位相差板の遅相軸方向と配向膜による液晶分子配向方向とがなす交差角度を７０〜８０°、及び、液晶層のレターデーション値を７００〜９００ｎｍの範囲で設定するようにしてもよい。
【００１７】
また、上記色度検知ステップで検知した上記カラーフィルタのｘｙ座標が、
（０．３０８，０．２５２）、
（０．３１６，０．２４１）、
（０．２８１，０．１７１）、
（０．２７３，０．１８２）、
で囲われる領域に含まれている場合に、
上記補正パラメータ設定ステップで、位相差板の遅相軸方向と配向膜による液晶分子配向方向とがなす交差角度を８０〜９０°、及び、液晶層のレターデーション値を７００〜９００ｎｍの範囲で設定するようにしてもよい。
【００１８】
さらに、上記色度検知ステップで検知した上記カラーフィルタのｘｙ座標が、
（０．２９５，０．２６７）、
（０．３０８，０．２５２）、
（０．２７３，０．１８２）、
（０．２６０，０．１９７）、
で囲われる領域に含まれている場合に、
上記補正パラメータ設定ステップで、位相差板の遅相軸方向と配向膜による液晶分子配向方向とがなす交差角度を９０〜１００°、及び、液晶層のレターデーション値を７００〜９００ｎｍの範囲で設定するようにしてもよい。
【００１９】
また、上記色度検知ステップで検知した上記カラーフィルタのｘｙ座標が、
（０．２８５，０．２８０）、
（０．２９５，０．２６７）、
（０．２６０，０．１９７）、
（０．２５０，０．２１０）、
で囲われる領域に含まれている場合に、
上記補正パラメータ設定ステップで、位相差板の遅相軸方向と配向膜による液晶分子配向方向とがなす交差角度を１００〜１１０°、及び、液晶層のレターデーション値を７００〜９００ｎｍの範囲で設定するようにしてもよい。
【００２０】
上記のそれぞれのようにすれば、位相差板の遅相軸方向と配向膜による液晶分子配向方向とがなす交差角度の設定の検討範囲が狭く絞られるので、補正検討の効率化を図ることができる。
【発明の効果】
【００２１】
以上説明したように、本発明によれば、カラーフィルタとしては、ＲＧＢの全ての着色層に同一の光を照射したときに表示される色が白からずれていても、液晶表示装置としては、位相差板の遅相軸方向と配向膜による液晶分子配向方向とがなす交差角度の設定、及び、液晶層のレターデーション値の設定によって、そのずれが補正される。つまり、カラーフィルタの色調調整をすることなく、白表示補正を行うことができる。
【発明を実施するための最良の形態】
【００２２】
以下、本発明の実施形態を図面に基づいて詳細に説明する。
【００２３】
図１は、本発明の実施形態に係る液晶表示装置１００を示す。
【００２４】
この液晶表示装置１００は、液晶表示パネル１１０とその後方に設けられた面光源１２０とで構成されている。
【００２５】
液晶表示パネル１１０は、相互に対向するように設けられ周辺部がシール材を介して貼り合わされた前面側基板１１１ａ及び背面側基板１１１ｂと、それらの両基板及びシール材で区画された部分に両基板に狭持されるように設けられた液晶層１１２と、を備えている。
【００２６】
観測者側となる前面側基板１１１ａは、ガラスや樹脂等の透明基板で構成されている。前面側基板１１１ａの内側、つまり液晶層１１２側には、蒸着やエッチング等により形成された前面側透明電極１１３ａが設けられている。また、前面側基板１１１ａを被覆するように前面側透明電極１１３ａ上に前面側配向膜１１４ａが積層されるように設けられている。前面側配向膜１１４ａには、液晶層１１２の液晶分子を所定方向に配向させるように表面にラビング処理が施されている。
【００２７】
面光源１２０側となる背面側基板１１１ｂは、ガラスや樹脂等の透明基板で構成されている。背面側基板１１１ｂの内側、つまり液晶層１１２側には、半透過反射層１１５が設けられている。半透過反射層１１５は、蒸着或いは、コーティング等により形成されたアルミニウム若しくは銀等の金属反射によるハーフミラー、又は、干渉方式による反射膜によって構成されている。なお、鏡面の半透過反射層１１５を形成した場合、光散乱層を別途形成するか、セルの外に前方散乱板を設ければ同様の作用効果を奏する構成となる。半透過反射層１１５上には、カラーフィルタ１１６が積層されるように設けられている。カラーフィルタ１１６は、ＲＧＢを一組とする着色層の組み合わせが多数配列して構成されており、オーバーコートが施されている。ここで、ＲＧＢのそれぞれが１つの絵素を構成し、一組のＲＧＢが１つの画素を構成する。カラーフィルタ１１６上には、蒸着やエッチング等により形成された背面側透明電極１１３ｂが設けられている。また、背面側基板１１１ｂを被覆するように背面側透明電極１１３ｂ上に背面側配向膜１１４ｂが積層されるように設けられている。背面側配向膜１１４ｂには、液晶層１１２の液晶分子を所定方向に配向させるように表面にラビング処理が施されている。
【００２８】
前面側配向膜１１４ａ及び背面側配向膜１１４ｂのそれぞれにはラビング処理が施されているが、これらは、液晶層１１２の液晶分子の層厚さ方向のねじれ角が例えば２４０°となるようにラビング方向が設定されている。
【００２９】
前面側基板１１１ａの外側には、前面側位相差板１１７ａが設けられていると共に、背面側基板１１１ｂの外側には、背面側位相差板１１７ｂが設けられている。前面側位相差板１１７ａ及び背面側位相差板１１７ｂは、所定のレターデーション値を有する例えばポリカーボネート樹脂を延伸したフィルムで構成されている。前面側位相差板１１７ａ上には、ニュートラルグレイの前面側偏光板１１８ａが設けられていると共に、背面側位相差板１１７ｂ上にも、ニュートラルグレイの背面側偏光板１１８ｂが設けられている。前面側偏光板１１８ａ及び背面側偏光板１１８ｂは、例えば、ヨウ素を吸着させたポリビニルアルコールフィルムを延伸したフィルムで構成されている。
【００３０】
前面側配向膜１１４ａのラビング方向、前面側位相差板１１７ａの遅相軸方向及び前面側偏光板１１８ａの吸収軸方向、並びに、背面側配向膜１１４ｂのラビング方向、背面側位相差板１１７ｂの遅相軸方向及び背面側偏光板１１８ｂの吸収軸方向の各配置は図３に示すようになっている。
【００３１】
以上の構成のこの液晶表示装置１００は、背面側から入射して前面側から出射する面光源１２０からの光を液晶層１１２によって変調する透過表示モードと、前面側から入射して半透過反射層１１５で反射した後に再び前面側から出射する外光を液晶層１１２によって変調する反射表示モードと、の両モードでの表示が可能である半透過型のものである。
【００３２】
そして、この液晶表示装置１００のカラーフィルタ１１６は、カラーフィルタ１１６単体としては、ＲＧＢの全ての着色層に同一の光を照射したときに表示される色のＣＩＥ色度図におけるｘｙ座標が白表示基準ｘｙ座標からずれている。具体的には、ＣＩＥ色度図における白表示基準ｘｙ座標は（０．３１５，０．３１５）であるが、このカラーフィルタ１１６のＲＧＢの全ての着色層に同一の光を照射したときに表示される色のＣＩＥ色度図におけるｘｙ座標は、例えば、図２に示すように、
Ａ（０．２８５，０．２８０）、
Ｂ（０．３２５，０．２３０）、
Ｃ（０．２９０，０．１６０）、
Ｄ（０．２５０，０．２１０）、
で囲われる平行四辺形の領域に含まれている。
【００３３】
これに対して、この液晶表示装置１００では、液晶表示装置１００として、そのずれの補正が施されている。
【００３４】
具体的には、前面側位相差板１１７ａの遅相軸方向と前面側配向膜１１４ａによる液晶分子配向方向とがなす交差角度の設定によってＣＩＥ色度図における負の傾斜方向（右下がりの方向：図２のＰ方向）に画素に表示される色の色度が変化し、また、液晶層１１２のレターデーション値（ｄΔｎ）の設定によってＣＩＥ色度図における正の傾斜方向（右上がりの方向：図２のＱ方向）に色度が変化することから、これら２つの設定の組み合わせによって、液晶表示装置１００としてＣＩＥ色度図における白表示基準ｘｙ座標乃至その近傍の色が表示されるように、白表示補正が施されている。
【００３５】
この液晶表示装置１００では、カラーフィルタ１１６としては、ＲＧＢの全ての着色層に同一の光を照射したときに表示される色が白からずれているものの、液晶表示装置１００としては、位相差板の遅相軸方向と配向膜による液晶分子配向方向とがなす交差角度の設定によってＣＩＥ色度図における負の傾斜方向に色度が変化することと、液晶層１１２のレターデーション値（ｄΔｎ）の設定によってＣＩＥ色度図における正の傾斜方向に色度が変化することとが組み合わされて、そのずれが補正されている。つまり、カラーフィルタ１１６の色調調整をすることなく、白表示補正が施されている。
【００３６】
また、カラーフィルタ１１６のＲＧＢの全ての着色層に同一の光を照射したときに表示される色のＣＩＥ色度図におけるｘｙ座標が上記ＡＢＣＤで囲われる平行四辺形の領域に含まれていれば、コントラスト的に良好な表示性能を得ることができる。
【００３７】
次に、液晶表示装置１００の製造方法について説明する。
【００３８】
＜基板準備ステップ＞
まず、前面側基板１１１ａ上に、前面側透明電極１１３ａ及び前面側配向膜１１４ａを設ける。一方、背面側基板１１１ｂ上に、半透過反射層１１５及びカラーフィルタ１１６を設け、さらにその上に、背面側透明電極１１３ｂ及び背面側配向膜１１４ｂを設ける。
【００３９】
以上のようにして、一対の基板を準備する。
【００４０】
＜基板貼り合わせステップ＞
前面側透明電極１１３ａ等が設けられた前面側基板１１１ａと背面側透明電極１１３ｂ等が設けられた背面側基板１１１ｂとを、それらの周辺部にシール材を介設させて貼り合わせる。なお、このとき、シール材には、液晶注入口を設けておく。
【００４１】
＜色度検知ステップ＞
前面側基板１１１ａと背面側基板１１１ｂとを貼り合わせたものに対して均一な光を照射することにより、カラーフィルタ１１６のＲＧＢの全ての着色層に同一の光を照射する。そして、表示される色のＣＩＥ色度図におけるｘｙ座標を求める。
【００４２】
＜補正パラメータ設定ステップ＞
色度検知ステップで求めたｘｙ座標から、前面側位相差板１１７ａの遅相軸方向と前面側配向膜１１４ａのラビング方向、つまり、液晶分子配向方向とがなす交差角度、及び、液晶層１１２のレターデーション値（ｄΔｎ）の両パラメータを設定する。つまり、前面側位相差板１１７ａの遅相軸方向と前面側配向膜１１４ａのラビング方向とがなす交差角度の設定によってＣＩＥ色度図における負の傾斜方向に画素に表示される色の色度が変化し、また、液晶層１１２のレターデーション値（ｄΔｎ）の設定によってＣＩＥ色度図における正の傾斜方向に色度が変化することから、これら２つのパラメータの設定の組み合わせによって、液晶表示装置１００としてＣＩＥ色度図における白表示基準ｘｙ座標乃至その近傍の色が表示されるように白表示補正を施すようにする。
【００４３】
具体的には、図４に示すように、ｘｙ座標がＡＢＣＤで囲われる平行四辺形の領域に含まれる場合、直線ＡＢ（又は直線ＤＣ）上に、面側位相差板の遅相軸方向と前面側配向膜１１４ａのラビング方向とがなす交差角度の補正設定値を目盛り、直線ＡＤ（又は直線ＢＣ）上に、液晶層１１２のレターデーション値（ｄΔｎ）の補正設定値を目盛ってマップ化し、求められたｘｙ座標から、面側位相差板の遅相軸方向と前面側配向膜１１４ａのラビング方向とがなす交差角度の設定値と液晶層１１２のレターデーション値（ｄΔｎ）の設定値とを決定する。
【００４４】
また、両パラメータの設定を個別に検討するときには、ｘｙ座標が、
（０．３１６，０．２４１）、
（０．３２５，０．２３０）、
（０．２９０，０．１６０）、
（０．２８１，０．１７１）、
で囲われる領域Ｉに含まれている場合に、前面側位相差板１１７ａの遅相軸方向と前面側配向膜１１４ａのラビング方向とがなす交差角度を７０〜８０°、及び、液晶層１１２のレターデーション値を７００〜９００ｎｍの範囲で検討する。
【００４５】
また、ｘｙ座標が、
（０．３０８，０．２５２）、
（０．３１６，０．２４１）、
（０．２８１，０．１７１）、
（０．２７３，０．１８２）、
で囲われる領域IIに含まれている場合に、前面側位相差板１１７ａの遅相軸方向と前面側配向膜１１４ａのラビング方向とがなす交差角度を８０〜９０°、及び、液晶層１１２のレターデーション値を７００〜９００ｎｍの範囲で検討する。
【００４６】
さらに、ｘｙ座標が、
（０．２９５，０．２６７）、
（０．３０８，０．２５２）、
（０．２７３，０．１８２）、
（０．２６０，０．１９７）、
で囲われる領域IIIに含まれている場合に、前面側位相差板１１７ａの遅相軸方向と前面側配向膜１１４ａのラビング方向とがなす交差角度を９０〜１００°、及び、液晶層１１２のレターデーション値を７００〜９００ｎｍの範囲で検討する。
【００４７】
また、ｘｙ座標が、
（０．２８５，０．２８０）、
（０．２９５，０．２６７）、
（０．２６０，０．１９７）、
（０．２５０，０．２１０）、
で囲われる領域IVに含まれている場合に、前面側位相差板１１７ａの遅相軸方向と前面側配向膜１１４ａのラビング方向とがなす交差角度を１００〜１１０°、及び、液晶層１１２のレターデーション値（ｄΔｎ）を７００〜９００ｎｍの範囲で検討する。
【００４８】
このようにすれば、前面側位相差板１１７ａの遅相軸方向と前面側配向膜１１４ａのラビング方向とがなす交差角度の設定の検討範囲が狭く絞られるので、補正検討の効率化を図ることができる。
【００４９】
＜位相差板等貼設ステップ＞
前面側配向膜１１４ａのラビング方向を基準として  それに対して遅相軸方向が設定された交差角度で交差するように前面側位相差板１１７ａを前面側基板１１１ａに貼設する。また、その他、前面側偏光板１１８ａ、背面側位相差板１１７ｂ及び背面側偏光板１１８ｂも貼設する。
【００５０】
＜液晶注入ステップ＞
設定された液晶層１１２のレターデーション値（ｄΔｎ）が得られるように、所定の複屈折（Δｎ）の液晶を選定し、その液晶を前面側基板１１１ａ、背面側基板１１１ｂ及びシール材で区画された部分に注入した後に液晶注入口を封止し、液晶層１１２を形成する。なお、前面側基板１１１ａと背面側基板１１１ｂとを貼り合わせる前に、背面側基板１１１ｂのみでカラーフィルタ１１６のＲＧＢの全ての着色層に同一の光を照射し、そして、表示される色のＣＩＥ色度図におけるｘｙ座標を求めて液晶層１１２のレターデーション値（ｄΔｎ）を設定するようにしてもよい。この場合には、液晶層１１２の厚さ（ｄ）の操作によって液晶層１１２のレターデーション値（ｄΔｎ）の設定が可能となる。しかしながら、液晶層１１２の厚さ（ｄ）が変更されると、他の構成要素に対する影響が大きくなるので、レターデーション値（ｄΔｎ）の設定を上記のように液晶の複屈折（Δｎ）により操作する方が好ましい。
【００５１】
以上のようにして、液晶表示パネル１１０を作製する。
【００５２】
＜組立ステップ＞
最後に、面光源１２０に液晶表示パネル１１０を取り付けて液晶表示装置１００に組み立てる。
【００５３】
以上のような本発明の液晶表示装置１００の製造方法によれば、カラーフィルタ１１６としては、ＲＧＢの全ての着色層に同一の光を照射したときに表示される色が白からずれていても、液晶表示装置１００としては、前面側位相差板１１７ａの遅相軸方向と前面側配向膜１１３ａによる液晶分子配向方向とがなす交差角度の設定によってＣＩＥ色度図における負の傾斜方向（右下がりの方向）に色度が変化することと、液晶層１１２のレターデーション値の設定によってＣＩＥ色度図における正の傾斜方向（右上がりの方向）に色度が変化することとの組み合わせにより、その色のずれの補正を行うことができる。従って、カラーフィルタ１１６の色調調整をすることなく、白表示補正を行うことができる。
【００５４】
なお、上記実施形態では、カラーフィルタ１１６を背面側基板１１１ｂに設けたが、特にこれに限定されるものではなく、前面側基板１１１ａに設けてもよい。
【００５５】
また、上記実施形態では、半透過反射型の液晶表示装置１００としたが、特にこれに限定されるものではなく、反射型或いは透過型のものであってもよい。
【実施例】
【００５６】
（試験評価１）
（試験評価用液晶表示装置）
以下の１２種類の試験評価用の液晶表示装置を作製した。なお、詳細構成は表１にも示す（表１中、φＬＣ、φＦ、φＰ及びツイスト角については図３参照）。
【００５７】
＜例１−１＞
カラーフィルタのＲＧＢの全ての着色層に同一の光を照射したときに表示される色のＣＩＥ色度図におけるｘｙ座標が、図５における領域Ｉの（ｘ，ｙ）＝（０．３１５，０．２３０）であり、図５のマップに従って、前面側位相差板の遅相軸方向と前面側配向膜による液晶分子配向方向とがなす交差角度が７７．５°、及び、液晶層のレターデーション値が７５０ｎｍにそれぞれ設定された液晶表示装置を例１−１とした。
【００５８】
＜例１−２＞
カラーフィルタのＲＧＢの全ての着色層に同一の光を照射したときに表示される色のＣＩＥ色度図におけるｘｙ座標が、図５における領域Ｉの（ｘ，ｙ）＝（０．３０５，０．２００）であり、図５のマップに従って、前面側位相差板の遅相軸方向と前面側配向膜による液晶分子配向方向とがなす交差角度が７５．０°、及び、液晶層のレターデーション値が８２０ｎｍにそれぞれ設定された液晶表示装置を例１−２とした。
【００５９】
＜例１−３＞
カラーフィルタのＲＧＢの全ての着色層に同一の光を照射したときに表示される色のＣＩＥ色度図におけるｘｙ座標が、図５における領域Ｉの（ｘ，ｙ）＝（０．２９０，０．１８０）であり、図５のマップに従って、前面側位相差板の遅相軸方向と前面側配向膜による液晶分子配向方向とがなす交差角度が７７．５°、及び、液晶層のレターデーション値が８７０ｎｍにそれぞれ設定された液晶表示装置を例１−３とした。
【００６０】
＜例１−４＞
カラーフィルタのＲＧＢの全ての着色層に同一の光を照射したときに表示される色のＣＩＥ色度図におけるｘｙ座標が、図５における領域IIの（ｘ，ｙ）＝（０．３０５，０．２３０）であり、図５のマップに従って、前面側位相差板の遅相軸方向と前面側配向膜による液晶分子配向方向とがなす交差角度が８７．５°、及び、液晶層のレターデーション値が７７０ｎｍにそれぞれ設定された液晶表示装置を例１−４とした。
【００６１】
＜例１−５＞
カラーフィルタのＲＧＢの全ての着色層に同一の光を照射したときに表示される色のＣＩＥ色度図におけるｘｙ座標が、図５における領域IIの（ｘ，ｙ）＝（０．２９５，０．２１０）であり、図５のマップに従って、前面側位相差板の遅相軸方向と前面側配向膜による液晶分子配向方向とがなす交差角度が８７．５°、及び、液晶層のレターデーション値が８３０ｎｍにそれぞれ設定された液晶表示装置を例１−５とした。
【００６２】
＜例１−６＞
カラーフィルタのＲＧＢの全ての着色層に同一の光を照射したときに表示される色のＣＩＥ色度図におけるｘｙ座標が、図５における領域IIの（ｘ，ｙ）＝（０．２８５，０．１９０）であり、図５のマップに従って、前面側位相差板の遅相軸方向と前面側配向膜による液晶分子配向方向とがなす交差角度が８７．５°、及び、液晶層のレターデーション値が８７０ｎｍにそれぞれ設定された液晶表示装置を例１−６とした。
【００６３】
＜例１−７＞
カラーフィルタのＲＧＢの全ての着色層に同一の光を照射したときに表示される色のＣＩＥ色度図におけるｘｙ座標が、図５における領域IIIの（ｘ，ｙ）＝（０．２９５，０．２５０）であり、図５のマップに従って、前面側位相差板の遅相軸方向と前面側配向膜による液晶分子配向方向とがなす交差角度が９５．０°、及び、液晶層のレターデーション値が７５０ｎｍにそれぞれ設定された液晶表示装置を例１−７とした。
【００６４】
＜例１−８＞
カラーフィルタのＲＧＢの全ての着色層に同一の光を照射したときに表示される色のＣＩＥ色度図におけるｘｙ座標が、図５における領域IIIの（ｘ，ｙ）＝（０．２８５，０．２３０）であり、図５のマップに従って、前面側位相差板の遅相軸方向と前面側配向膜による液晶分子配向方向とがなす交差角度が９５．０°、及び、液晶層のレターデーション値が８２０ｎｍにそれぞれ設定された液晶表示装置を例１−８とした。
【００６５】
＜例１−９＞
カラーフィルタのＲＧＢの全ての着色層に同一の光を照射したときに表示される色のＣＩＥ色度図におけるｘｙ座標が、図５における領域IIIの（ｘ，ｙ）＝（０．２７０，０．２００）であり、図５のマップに従って、前面側位相差板の遅相軸方向と前面側配向膜による液晶分子配向方向とがなす交差角度が９５．０°、及び、液晶層のレターデーション値が８８０ｎｍにそれぞれ設定された液晶表示装置を例１−９とした。
【００６６】
＜例１−１０＞
カラーフィルタのＲＧＢの全ての着色層に同一の光を照射したときに表示される色のＣＩＥ色度図におけるｘｙ座標が、図５における領域IVの（ｘ，ｙ）＝（０．２８０，０．２６０）であり、図５のマップに従って、前面側位相差板の遅相軸方向と前面側配向膜による液晶分子配向方向とがなす交差角度が１０７．５°、及び、液晶層のレターデーション値が７７０ｎｍにそれぞれ設定された液晶表示装置を例１−１０とした。
【００６７】
＜例１−１１＞
カラーフィルタのＲＧＢの全ての着色層に同一の光を照射したときに表示される色のＣＩＥ色度図におけるｘｙ座標が、図５における領域IVの（ｘ，ｙ）＝（０．２７０，０．２４０）であり、図５のマップに従って、前面側位相差板の遅相軸方向と前面側配向膜による液晶分子配向方向とがなす交差角度が１０７．５°、及び、液晶層のレターデーション値が８３０ｎｍにそれぞれ設定された液晶表示装置を例１−１１とした。
【００６８】
＜例１−１２＞
カラーフィルタのＲＧＢの全ての着色層に同一の光を照射したときに表示される色のＣＩＥ色度図におけるｘｙ座標が、図５における領域IVの（ｘ，ｙ）＝（０．２８０，０．２６０）であり、図５のマップに従って、前面側位相差板の遅相軸方向と前面側配向膜による液晶分子配向方向とがなす交差角度が１０５．０°、及び、液晶層のレターデーション値が８８０ｎｍにそれぞれ設定された液晶表示装置を例１−１２とした。
【００６９】
【表１】
2005181710.tif 000003
【００７０】
（試験評価方法及び結果）
例１−１〜例１−１２の各液晶表示装置について、カラーフィルタのＲＧＢの全ての着色層に同一の光が照射されるように表示を行い、そのとき表示される色のＣＩＥ色度図におけるｘｙ座標を求めた。また、液晶表示装置のコントラストの測定も行った。
【００７１】
表２にその結果を示す。また、図６に、カラーフィルタのｘｙ座標と液晶表示装置のｘｙ座標とを示したＣＩＥ色度図を示す。
【００７２】
【表２】
2005181710.tif 000004
【００７３】
表２及び図６によれば、カラーフィルタとしては、ＲＧＢの全ての着色層に同一の光を照射したときに表示される色が白からずれているものの、液晶表示装置としては、位相差板の遅相軸方向と配向膜による液晶分子配向方向とがなす交差角度の設定、及び、液晶層のレターデーション値（ｄΔｎ）の設定が組み合わされて、その色度座標のずれが補正されて白表示基準ｘｙ座標に近づいているものの、白表示基準ｘｙ座標である（０．３１５，０．３１５）を中心とする白表示領域（図６中の円内）に含まれるものは少ないことが分かる。
【００７４】
（試験評価２）
（試験評価用液晶表示装置）
以下の１２種類の試験評価用の液晶表示装置を作製した。なお、詳細構成は表３にも示す（表３中、φＬＣ、φＦ、φＰ及びツイスト角については図３参照）。
【００７５】
＜例２−１＞
カラーフィルタのＲＧＢの全ての着色層に同一の光を照射したときに表示される色のＣＩＥ色度図におけるｘｙ座標が、図５における領域Ｉの（ｘ，ｙ）＝（０．３１５，０．２３０）であり、試験評価１の例１−１からさらに微修正された、前面側位相差板の遅相軸方向と前面側配向膜による液晶分子配向方向とがなす交差角度が７２．５°、及び、液晶層のレターデーション値が７６０ｎｍにそれぞれ設定された液晶表示装置を例２−１とした。
【００７６】
＜例２−２＞
カラーフィルタのＲＧＢの全ての着色層に同一の光を照射したときに表示される色のＣＩＥ色度図におけるｘｙ座標が、図５における領域Ｉの（ｘ，ｙ）＝（０．３０５，０．２００）であり、試験評価１の例１−２からさらに微修正された、前面側位相差板の遅相軸方向と前面側配向膜による液晶分子配向方向とがなす交差角度が７０．０°、及び、液晶層のレターデーション値が８２０ｎｍにそれぞれ設定された液晶表示装置を例２−２とした。
【００７７】
＜例２−３＞
カラーフィルタのＲＧＢの全ての着色層に同一の光を照射したときに表示される色のＣＩＥ色度図におけるｘｙ座標が、図５における領域Ｉの（ｘ，ｙ）＝（０．２９０，０．１８０）であり、試験評価１の例１−３からさらに微修正された、前面側位相差板の遅相軸方向と前面側配向膜による液晶分子配向方向とがなす交差角度が７５．０°、及び、液晶層のレターデーション値が８５０ｎｍにそれぞれ設定された液晶表示装置を例２−３とした。
【００７８】
＜例２−４＞
カラーフィルタのＲＧＢの全ての着色層に同一の光を照射したときに表示される色のＣＩＥ色度図におけるｘｙ座標が、図５における領域IIの（ｘ，ｙ）＝（０．３０５，０．２３０）であり、試験評価１の例１−４からさらに微修正された、前面側位相差板の遅相軸方向と前面側配向膜による液晶分子配向方向とがなす交差角度が８２．５°、及び、液晶層のレターデーション値が８００ｎｍにそれぞれ設定された液晶表示装置を例２−４とした。
【００７９】
＜例２−５＞
カラーフィルタのＲＧＢの全ての着色層に同一の光を照射したときに表示される色のＣＩＥ色度図におけるｘｙ座標が、図５における領域IIの（ｘ，ｙ）＝（０．２９５，０．２１０）であり、試験評価１の例１−５からさらに微修正された、前面側位相差板の遅相軸方向と前面側配向膜による液晶分子配向方向とがなす交差角度が８２．５°、及び、液晶層のレターデーション値が８３０ｎｍにそれぞれ設定された液晶表示装置を例２−５とした。
【００８０】
＜例２−６＞
カラーフィルタのＲＧＢの全ての着色層に同一の光を照射したときに表示される色のＣＩＥ色度図におけるｘｙ座標が、図５における領域IIの（ｘ，ｙ）＝（０．２８５，０．１９０）であり、試験評価１の例１−６からさらに微修正された、前面側位相差板の遅相軸方向と前面側配向膜による液晶分子配向方向とがなす交差角度が８０．０°、及び、液晶層のレターデーション値が８５０ｎｍにそれぞれ設定された液晶表示装置を例２−６とした。
【００８１】
＜例２−７＞
カラーフィルタのＲＧＢの全ての着色層に同一の光を照射したときに表示される色のＣＩＥ色度図におけるｘｙ座標が、図５における領域IIIの（ｘ，ｙ）＝（０．２９５，０．２５０）であり、試験評価１の例１−７からさらに微修正された、前面側位相差板の遅相軸方向と前面側配向膜による液晶分子配向方向とがなす交差角度が９５．０°、及び、液晶層のレターデーション値が８００ｎｍにそれぞれ設定された液晶表示装置を例２−７とした。
【００８２】
＜例２−８＞
カラーフィルタのＲＧＢの全ての着色層に同一の光を照射したときに表示される色のＣＩＥ色度図におけるｘｙ座標が、図５における領域IIIの（ｘ，ｙ）＝（０．２８５，０．２３０）であり、試験評価１の例１−８からさらに微修正された、前面側位相差板の遅相軸方向と前面側配向膜による液晶分子配向方向とがなす交差角度が９０．０°、及び、液晶層のレターデーション値が８２０ｎｍにそれぞれ設定された液晶表示装置を例２−８とした。
【００８３】
＜例２−９＞
カラーフィルタのＲＧＢの全ての着色層に同一の光を照射したときに表示される色のＣＩＥ色度図におけるｘｙ座標が、図５における領域IIIの（ｘ，ｙ）＝（０．２７０，０．２００）であり、試験評価１の例１−９からさらに微修正された、前面側位相差板の遅相軸方向と前面側配向膜による液晶分子配向方向とがなす交差角度が９２．５°、及び、液晶層のレターデーション値が９００ｎｍにそれぞれ設定された液晶表示装置を例２−９とした。
【００８４】
＜例２−１０＞
カラーフィルタのＲＧＢの全ての着色層に同一の光を照射したときに表示される色のＣＩＥ色度図におけるｘｙ座標が、図５における領域IVの（ｘ，ｙ）＝（０．２８０，０．２６０）であり、試験評価１の例１−１０からさらに微修正された、前面側位相差板の遅相軸方向と前面側配向膜による液晶分子配向方向とがなす交差角度が１０７．５°、及び、液晶層のレターデーション値が８３０ｎｍにそれぞれ設定された液晶表示装置を例２−１０とした。
【００８５】
＜例２−１１＞
カラーフィルタのＲＧＢの全ての着色層に同一の光を照射したときに表示される色のＣＩＥ色度図におけるｘｙ座標が、図５における領域IVの（ｘ，ｙ）＝（０．２７０，０．２４０）であり、試験評価１の例１−１１からさらに微修正された、前面側位相差板の遅相軸方向と前面側配向膜による液晶分子配向方向とがなす交差角度が１０７．５°、及び、液晶層のレターデーション値が８７０ｎｍにそれぞれ設定された液晶表示装置を例２−１１とした。
【００８６】
＜例２−１２＞
カラーフィルタのＲＧＢの全ての着色層に同一の光を照射したときに表示される色のＣＩＥ色度図におけるｘｙ座標が、図５における領域IVの（ｘ，ｙ）＝（０．２８０，０．２６０）であり、試験評価１の例１−１２からさらに微修正された、前面側位相差板の遅相軸方向と前面側配向膜による液晶分子配向方向とがなす交差角度が９５．０°、及び、液晶層のレターデーション値が９００ｎｍにそれぞれ設定された液晶表示装置を例２−１２とした。
【００８７】
【表３】
2005181710.tif 000005
【００８８】
（試験評価方法及び結果）
例２−１〜例２−１２の各液晶表示装置について、カラーフィルタのＲＧＢの全ての着色層に同一の光が照射されるように表示を行い、そのとき表示される色のＣＩＥ色度図におけるｘｙ座標を求めた。また、液晶表示装置のコントラストの測定も行った。
【００８９】
表４にその結果を示す。また、図７に、カラーフィルタのｘｙ座標と液晶表示装置のｘｙ座標とを示したＣＩＥ色度図を示す。
【００９０】
【表４】
2005181710.tif 000006
【００９１】
例２−１〜例２−１２は試験評価１の例１−１〜例１−１２にそれぞれ対応するが、表４及び図７によれば、例２−１〜例２−１２のいずれについても、液晶表示装置として、ＲＧＢの全ての着色層に同一の光を照射したときに表示される色の色度座標が白表示基準ｘｙ座標である（０．３１５，０．３１５）を中心とする白表示領域（図７中の円内）に含まれるまでにずれが補正されているのが分かる。
【産業上の利用可能性】
【００９２】
以上説明したように、本発明は、液晶表示装置及びその製造方法について有用である。
【図面の簡単な説明】
【００９３】
【図１】本発明の実施形態に係る液晶表示装置の模式的な断面図である。
【図２】本発明の実施形態に係る液晶表示装置の構成を説明するためのＣＩＥ色度図である。
【図３】前面側配向膜のラビング方向、前面側位相差板の遅相軸方向及び前面側偏光板の吸収軸方向、並びに、背面側配向膜のラビング方向、背面側位相差板の遅相軸方向及び背面側偏光板の吸収軸方向の各配置を示す図である。
【図４】本発明の実施形態に係る液晶表示装置の製造方法を説明するためのＣＩＥ色度図である。
【図５】試験評価１及び２の液晶表示装置のカラーフィルタの構成を説明するための図である。
【図６】試験評価１の結果を示すＣＩＥ色度図である。
【図７】試験評価２の結果を示すＣＩＥ色度図である。
【図８】半透過反射型の液晶表示装置の模式的な断面図である。
【符号の説明】
【００９４】
１００  液晶表示装置
１１０  液晶表示パネル
１１１ａ  前面側基板
１１１ｂ  背面側基板
１１２  液晶層
１１３ａ  前面側透明電極
１１３ｂ  背面側透明電極
１１４ａ  前面側配向膜
１１４ｂ  背面側配向膜
１１５  半透過反射層
１１６  カラーフィルタ
１１７ａ  前面側位相差板
１１７ｂ  背面側位相差板
１１８ａ  前面側偏光板
１１８ｂ  背面側偏光板
１２０  面光源
【図１】
2005181710.tif 000007
【図２】
2005181710.tif 000008
【図３】
2005181710.tif 000009
【図４】
2005181710.tif 000010
【図５】
2005181710.tif 000011
【図６】
2005181710.tif 000012
【図７】
2005181710.tif 000013
【図８】
2005181710.tif 000014